(57)【要約】【課題】よりセキュリティ性を確保することができる通信制御装置を提供することを目的とする。【解決手段】上記課題を解決するために、通信制御装置は、通信部と、自機の状態に応じて、未登録の外部通信機器との、通信部を介した無線通信を確立させるか否かを制御する制御部と、を備える。より好ましくは、制御部は、第１の状態のときは、未登録の外部通信機器との、通信部を介した無線通信を確立させず、第２の状態のときは、未登録の外部通信機器との、前記通信部を介した無線通信を確立させる。【選択図】図６
2016034051.tif 000002
【特許請求の範囲】
【請求項１】
通信部と、
自機の状態に応じて、未登録の外部通信機器との、前記通信部を介した無線通信を確立させるか否かを制御する制御部と、
を備えた通信制御装置。
【請求項２】
前記制御部は、
第１の状態のときは、未登録の外部通信機器との、前記通信部を介した無線通信を確立させず、
第２の状態のときは、未登録の外部通信機器との、前記通信部を介した無線通信を確立させる、
請求項１に記載の通信制御装置。
【請求項３】
前記制御部は、
前記第２の状態の場合において、登録された外部通信機器との、前記通信部を介した無線通信を確立させるときは、未登録の外部通信機器との、前記通信部を介した無線通信を確立させない、或いは切断する、
請求項２に記載の通信制御装置。
【請求項４】
前記制御部は、
外部通信機器を識別する機器識別子の入力を受け付けて、当該外部通信機器を登録する、請求項１から３のいずれかに記載の通信制御装置。
【請求項５】
前記自機の状態は、
動作モードの設定状態、アプリケーションソフトの起動状態、特定のコンテンツを再生している状態の少なくともいずれかである、
請求項１から４のいずれかに記載の通信制御装置。
【発明の詳細な説明】
【技術分野】
【０００１】
本開示は、通信制御装置に関する。
【背景技術】
【０００２】
通信制御装置が他の装置と通信するにあたって、データアクセスのセキュリティ性を確保することが必要である。
【０００３】
セキュリティ性を確保するために、例えば、特許文献１は、モード情報が外出モードであり、かつ、アクセスした接続要求機器が登録されている機器である場合には、データ記録手段に記憶された全てのデータについて読み出し可能とし、モード情報が外出モードであり、かつ、アクセスした接続要求機器が登録されていない場合には、予め読み込み可能として設定されたパブリックエリアのデータのみ読み出しを可能とする携帯型記録装置を開示している。
【先行技術文献】
【特許文献】
【０００４】
【特許文献１】特開２００５−１４１４６４号公報
【発明の概要】
【発明が解決しようとする課題】
【０００５】
よりセキュリティ性を確保することができる通信制御装置を提供することを目的とする。
【課題を解決するための手段】
【０００６】
上記課題を解決するために、通信制御装置は、通信部と、自機の状態に応じて、未登録の外部通信機器との、通信部を介した無線通信を確立させるか否かを制御する制御部と、を備える。より好ましくは、制御部は、第１の状態のときは、未登録の外部通信機器との、通信部を介した無線通信を確立させず、第２の状態のときは、未登録の外部通信機器との、前記通信部を介した無線通信を確立させる。
【発明の効果】
【０００７】
本発明によれば、よりセキュリティ性を確保することができる通信制御装置を提供できる。
【図面の簡単な説明】
【０００８】
【図１】デジタルカメラ１００とスマートフォン２００からなるシステム構成図
【図２】デジタルカメラ１００の電気的構成図
【図３】スマートフォン２００の電気的構成図
【図４】ＭＡＣアドレスフィルタのテーブルのイメージ図
【図５】登録済みスマートフォン２００の撮影モード時の動作フローチャート
【図６】未登録スマートフォン２００の撮影モード時の動作フローチャート
【図７】登録済スマートフォン２００と未登録スマートフォン２００の再生モード時の動作フローチャート
【図８】ＭＡＣアドレスフィルタを途中で変更する場合の動作フローチャート
【発明を実施するための形態】
【０００９】
〔実施の形態１〕
図１は、デジタルカメラ１００とスマートフォン２００からなるシステム構成図である。図１に示すように、本実施の形態１にかかるデジタルカメラ１００は、ＮＦＣ（Ｎｅａｒ Ｆｉｅｌｄ Ｃｏｍｍｕｎｉｃａｔｉｏｎ、以下「ＮＦＣ」と称する）を介した認証動作を経て、スマートフォン２００と画像データを共有することができる。デジタルカメラ１００は、ＭＡＣアドレスフィルタの有効／無効を切り替えることによって、ＷｉＦｉ通信を、登録済のスマートフォン２００のみに対して許可するか、登録済か否かに関わらずすべてのスマートフォン２００に対して許可するかを切り替えることができる。また、デジタルカメラ１００は、動作モード（例えば、撮影モードや再生モード）に応じて、ＭＡＣアドレスフィルタの有効／無効を切り替えることができる。これにより、動作モードごとに、登録済のスマートフォン２００のみに対して許可するか、登録済か否かに関わらずすべてのスマートフォン２００に対して許可するかを切り替えることができる。
【００１０】
以上により、デジタルカメラ１００は、セキュリティを考慮しながらも、容易に通信を行うことができる。
【００１１】
以下、デジタルカメラ１００およびスマートフォン２００の構成および本実施の形態にかかる画像共有動作について説明する。
【００１２】
〔１−１．構成〕
以下図を用いて、実施の形態１にかかるデジタルカメラ１００およびスマートフォン２００の構成を説明する。
【００１３】
〔１−１−１．デジタルカメラ１００の構成〕
図２は、デジタルカメラ１００の電気的構成図である。デジタルカメラ１００は、光学系１１０を介して形成された被写体像をＣＭＯＳイメージセンサ１１５で撮像する。ＣＭＯＳイメージセンサ１１５は撮像した被写体像に基づく撮像データ（ＲＡＷデータ）を生成する。画像処理部１２０は、撮像により生成された撮像データに対して各種処理が施して画像データを生成する。コントローラ１３５は、画像処理部１２０にて生成された画像データをカードスロット１４０に装着されたメモリカード１４０に記録する。コントローラ１３５は、メモリカード１４０に記録された画像データを、使用者による操作部１５０の操作を受け付けて液晶モニタ１３０上に表示させることができる。
【００１４】
光学系１１０は、フォーカスレンズ、ズームレンズ、光学式手ぶれ補正レンズＯＩＳ、絞り、シャッタ、等を含む。光学系１１０を構成する各種レンズは、何枚から構成されるものであっても、何群から構成されるものであってもよい。
【００１５】
ＣＭＯＳイメージセンサ１１５は、光学系１１０を介して形成された被写体像を撮像して撮像データを生成する。ＣＭＯＳイメージセンサ１１５は、所定のフレームレート（例えば、３０フレーム／秒）で新しいフレームの画像データを生成する。ＣＭＯＳイメージセンサ１１５の撮像データ生成タイミングおよび電子シャッタ動作は、コントローラ１３５によって制御される。なお、ＣＭＯＳイメージセンサ１１５に限定されず、ＣＣＤイメージセンサやＮＭＯＳイメージセンサなど、他のイメージセンサに置換してもよい。
【００１６】
画像処理部１２０は、ＣＭＯＳイメージセンサ１１５から出力された撮像データに対して各種の処理を施して画像データを生成する。また、画像処理部１２０は、メモリカード１４５から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００１７】
液晶モニタ１３０は、デジタルカメラ１００の背面に備わる。液晶モニタ１３０は、画像処理部１２０にて処理された画像データに基づく画像を表示する。なお、液晶モニタに限定されず、有機ＥＬモニタなど、他のモニタに置換してもよい。
【００１８】
コントローラ１３５は、デジタルカメラ１００全体の動作を統括制御する。コントローラ１３５は、ハードワイヤードな電子回路で構成してもよいし、マイクロコンピュータなどで構成してもよい。また、画像処理部１２０などと共に1つの半導体チップで構成してもよい。また、図示していないが、コントローラ１３５は内部にＲＯＭを有している。ＲＯＭには、他の通信機器とのＷｉＦｉ通信を確立するために必要なＳＳＩＤ（Ｓｅｒｖｉｃ Ｓｅｔ Ｉｄｅｎｔｉｆｉｅｒ、以下「ＳＳＩＤ」と称する）、ＷＥＰキー（Ｗｉｒｅｄ Ｅｑｕｉｖａｌｅｎｔ Ｐｒｉｖａｃｙ Ｋｅｙ、以下「ＷＥＰキー」と称する）が記憶されている。コントローラ１３５は、必要に応じて、ＲＯＭからＳＳＩＤ、ＷＥＰキーを読み出すことができる。また、ＲＯＭには、オートフォーカス制御（ＡＦ制御）や、通信制御に関するプログラムの他、デジタルカメラ１００全体の動作を統括制御するためのプログラムが記憶されている。
【００１９】
バッファメモリ１２５は、画像処理部１２０やコントローラ１３５のワークメモリとして機能する記憶媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００２０】
カードスロット１４０は、メモリカード１４５を着脱可能な接続手段である。カードスロット１４０は、メモリカード１４５を電気的及び機械的に接続可能である。メモリカード１４５は、内部にフラッシュメモリ等の記録部を備えた外部メモリである。メモリカード１４５は、画像処理部１２０で生成される画像データなどのデータを記録できる。
【００２１】
操作部１５０は、デジタルカメラ１００の外装に備わっている操作釦や操作レバー等のハードキーの総称であり、使用者による操作を受け付ける。操作部１５０は使用者による操作を受け付けると、コントローラ１３５に種々の動作指示信号を通知する。
【００２２】
ＷｉＦｉモジュール１５５は、通信規格ＩＥＥＥ８０２．１１に準拠した通信モジュールである。デジタルカメラ１００は、ＷｉＦｉモジュール１５５を介して、ＷｉＦｉモジュールを搭載した他の通信機器と通信することができる。デジタルカメラ１００は、ＷｉＦｉモジュール１５５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールに置換しても構わない。すなわち、比較的通信ビットレートが高く、通信エリアが数メートル以上である通信が可能な通信モジュールであればよい。
【００２３】
ＮＦＣタグ１６０は、ＮＦＣ規格に準拠した通信タグである。デジタルカメラ１００は、ＮＦＣタグ１６０を介して、ＮＦＣリーダライタを搭載した他の通信機器と通信し、当該ＮＦＣリーダライタからのデータの読み取りおよび書き込みに応じる。ＮＦＣタグ１６０は、アンテナ、メモリ、ロジック回路を備えている。ＮＦＣタグ１６０のアンテナは、ＮＦＣ規格に準拠した信号を送受信する。ＮＦＣタグ１６０のメモリは、ＮＦＣリーダライタに読み取らせる情報を格納する。また、ＮＦＣタグ１６０のメモリは、ＮＦＣリーダライタに情報を書き込まれる。ＮＦＣタグ１６０のロジック回路は、アンテナが受信した信号を復調してコントローラ１３５に伝送したり、コントローラ１３５やＮＦＣタグ１６０のメモリから伝送された信号を変調したりする。ＮＦＣタグ１６０は、デジタルカメラ１００の内部から電力供給されていない状態であっても、近接したＮＦＣリーダライタからの電磁誘導により電力が供給され動作することができる。
【００２４】
ＮＦＣ規格に準拠した通信の通信エリアは、数センチ程度である。ＮＦＣタグ１６０を介した通信のためには、デジタルカメラ１００のユーザは、ＮＦＣリーダライタを搭載した他の通信機器が、デジタルカメラ１００から数センチ程度の距離内に入るよう、デジタルカメラ１００を他の通信機器に近接させる必要がある。デジタルカメラ１００を他の通信機器に近接させるアクションを取る必要があるため、ユーザが通信を行いたい相手の機器に対して、ユーザが通信を行いたいタイミングで、通信を行うことができる。なお、ＮＦＣタグ１６０に換えて、他の近接場型の無線通信を行う通信手段を用いてもよい。
【００２５】
〔１−１−２．スマートフォン２００の構成〕
図３は、スマートフォン２００の電気的構成図である。スマートフォン２００は、画像処理部２０５にて生成された画像データが示す画像を液晶モニタ２１５に表示させることができる。液晶モニタ２１５の表面にはタッチパネル２１０が配置されており、ユーザによるタッチ操作を受け付けることができる。また、操作部２３０が設けられており、タッチパネル２１０による操作以外の操作も可能である。コントローラ２２５は、ＷｉＦｉモジュール２３５、ＮＦＣリーダライタ２４０を介して、他の通信機器と通信することができる。
【００２６】
画像処理部２０５は、画像処理部１２０は、メモリカード１４５から読み出した画像データに各種の処理を施して、液晶モニタ１３０に表示するための画像を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００２７】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０は、抵抗膜方式でも、静電容量方式でも、他の方式であっても構わない。
【００２８】
液晶モニタ２１５は、コントローラ２２５から指示された画面を表示する表示デバイスである。
【００２９】
バッファメモリ２２０は、コントローラ２２５が各種処理動作を実行するために必要な情報を一時的に格納するメモリである。
【００３０】
コントローラ２２５は、スマートフォン２００を構成する各部処理を制御する。コントローラ２２５は、画像処理部２０５、タッチパネル２１０、液晶モニタ２１５、バッファメモリ２２０、操作部２３０、ＷｉＦｉモジュール２３５、ＮＦＣリーダライタ２４０に電気的に接続されている。
【００３１】
ＷｉＦｉモジュール２３５は、通信規格ＩＥＥＥ８０２．１１に準拠した通信モジュールである。スマートフォン２００は、ＷｉＦｉモジュール２３５を介して、ＷｉＦｉモジュールを搭載した他の通信機器と通信することができる。スマートフォン２００は、ＷｉＦｉモジュール２３５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールに置換しても構わない。すなわち、比較的通信ビットレートが高く、通信エリアが数メートル以上である通信が可能な通信モジュールであればよい。
【００３２】
ＮＦＣリーダライタ２４０は、ＮＦＣ規格に準拠した通信リーダである。スマートフォン２００は、ＮＦＣリーダライタ２４０を介して、ＮＦＣリーダライタを搭載した他の通信機器や、ＮＦＣタグを搭載した他の通信機器と通信し、当該ＮＦＣタグのデータの読み取りおよび書き込みを行うことができる。ＮＦＣリーダライタ２４０は、アンテナ、メモリ、ロジック回路を備えている。ＮＦＣリーダライタ２４０のアンテナは、ＮＦＣ規格に準拠した信号を送受信する。ＮＦＣリーダライタ２４０のメモリは、ＮＦＣタグに書き込む情報を格納する。また、ＮＦＣリーダライタ２４０のメモリは、ＮＦＣタグから読み取った情報を格納する。ＮＦＣリーダライタ２４０のロジック回路は、アンテナが受信した信号を復調してコントローラ２２５に伝送したり、コントローラ２２５やＮＦＣリーダライタ２４０のメモリから伝送された信号を変調したりする。ＮＦＣリーダライタ２４０は、近接させたＮＦＣタグが電力供給されていない状態であっても、近接させたＮＦＣタグに電磁誘導により電力を供給し、情報を書き込んだり、読み取ったりすることができる。なお、ＮＦＣリーダライタに換えて、他の近接場型の無線通信を行う通信手段を用いてもよい。
【００３３】
なお、図示していないが、スマートフォン２００は、電話機能や、インターネット通信機能や、カメラ機能を備えていてもよい。
【００３４】
〔１−２．動作〕
以下図を用いて、実施の形態１にかかるデジタルカメラ１００およびスマートフォン２００の動作を説明する。なお、デジタルカメラ１００のＮＦＣタグ１６０と、スマートフォン２００のＮＦＣリーダライタ２４０とを、ＮＦＣ規格に準拠した通信の通信距離範囲内に近づけるユーザの動作を、説明の便宜上、以下タッチ動作と称する。本発明において、タッチ動作は、スマートフォン２００のユーザが、スマートフォン２００のＮＦＣリーダライタ２４０を、デジタルカメラ１００のＮＦＣタグ１６０に近づけてもよいし、デジタルカメラ１００のユーザが、デジタルカメラ１００のＮＦＣタグ１６０を、スマートフォン２００のＮＦＣリーダライタ２４０に近づけてもよい。
【００３５】
但し、以下の説明では、スマートフォン２００がデジタルカメラ１００へのＷｉＦｉ接続する状況を想定する。そのため、以下では、タッチ動作とは、スマートフォン２００のユーザがスマートフォン２００のＮＦＣリーダライタ２４０を、デジタルカメラ１００のＮＦＣタグ１６０に近づける動作を想定して説明する。
【００３６】
〔１−２−１．ＭＡＣアドレスフィルタ〕
図４を用いてＭＡＣアドレスフィルタの説明をする。図４は、ＭＡＣアドレスフィルタのイメージ図である。図４に示すように、デジタルカメラ１００のコントローラ１３５は、デジタルカメラ１００のメモリ内に、スマートフォン２００のＭＡＣアドレスと、そのＭＡＣアドレスに対するルール（接続許可、不許可）を対で管理することができる。図４の例では、ＭＡＣアドレス「１２：３４：５６：７８：９０：ａｂ」および「ａｂ：ｃｄ：ｅｆ：１２：３４：５６」は、デジタルカメラ１００とのＷｉＦｉ接続を許可されており、それ以外の機器においては、デジタルカメラ１００とのＷｉＦｉ接続を許可されていないことを示している。
【００３７】
デジタルカメラ１００へのＭＡＣアドレスフィルタの登録は、デジタルカメラ１００をＭＡＣアドレス登録モードにて起動し、スマートフォン２００の液晶モニタ２１５に表示されたＭＡＣアドレスをデジタルカメラ１００の操作部１５０を用いて入力することより行うことができる。なお、ＭＡＣアドレスフィルタの登録は操作部１５０を用いた入力に限定されず、他の方法により入力してもよい。例えば、スマートフォン２００の液晶モニタ２１５に二次元バーコード形式でＭＡＣアドレスを表示させて、デジタルカメラ１００の撮影機能により二次元バーコードを撮影することにより、ＭＡＣアドレス情報を受け渡しても良い。なお、スマートフォン２００は、ＮＦＣタグ１６０およびＮＦＣリーダライタを介したタッチ動作により、ＭＡＣアドレス情報を受け渡しても良い。
【００３８】
〔１−２−２．撮影モードにおける登録済みスマートフォン２００との接続〕
図５、６、７を用いて、デジタルカメラ１００と、スマートフォン２００とのＷｉＦｉ通信確立にかかる接続動作について説明する。
【００３９】
図５は、デジタルカメラ１００が撮影モードにおける、登録済みスマートフォン２００との接続動作に関するシーケンス図である。スマートフォン２００ＡのＭＡＣアドレスは、「１２：３４：５６：７８：９０：ａｂ」であり、図４に示すとおりＷｉＦｉ接続許可として事前に登録されているとする。
【００４０】
デジタルカメラ１００は、撮影モードにて起動されている（Ｓ３００）。スマートフォン２００Ａは、画像取得アプリケーションが起動されている（Ｓ３０１）。画像取得アプリケーションは、スマートフォン２００Ａがデジタルカメラ１００から画像（スルー画像や、再生画像など）を取得するためのアプリケーションソフトウェアである。
【００４１】
図５に示すように、スマートフォン２００Ａをデジタルカメラ１００にタッチ動作すると（Ｓ３０２）、スマートフォン２００Ａのコントローラ２２５は、ＮＦＣタグ１６０およびＮＦＣリーダライタ２４０を介して、デジタルカメラ１００のコントローラ１３５から、デジタルカメラ１００と接続するために必要な接続情報（ＳＳＩＤ、ＷＥＰキー）を読み取る（Ｓ３０３）。
【００４２】
デジタルカメラ１００のコントローラ１３５は、ステップＳ３０２のスマートフォン２００からのタッチ動作を契機に、デジタルカメラ１００の現在の動作モードを判断する。デジタルカメラ１００は撮影モードに設定されているため、デジタルカメラ１００のコントローラ１３５は、現在の動作モードは撮影モードであると判断する。撮影モードであることを判断したことにより、デジタルカメラ１００のコントローラ１３５は、ＭＡＣアドレスフィルタを有効にする（Ｓ３０４）。これにより、図４に示すＭＡＣアドレスフィルタに登録されたＭＡＣアドレスの機器のみＷｉＦｉ通信が許可され、ＭＡＣアドレスフィルタに登録されてないＭＡＣアドレスの機器のＷｉＦｉ通信が不許可になる。さらに、デジタルカメラ１００は、コントローラ１３５を介して、ＷｉＦｉモジュール１５５に通電を行い、ＷｉＦｉアクセスポイントとしてＷｉＦｉモジュール１５５を起動する（Ｓ３０５）。
【００４３】
一方、スマートフォン２００Ａは、デジタルカメラ１００から取得した接続情報（ＳＳＩＤ、ＷＥＰキー）に基づき、ＷｉＦｉ通信の確立要求（Ｓ３０６）を行う。
【００４４】
一方、デジタルカメラ１００は、ＷｉＦｉ通信の確立要求を受けると、接続要求元スマートフォン２００ＡのＭＡＣアドレスを取得する（Ｓ３０７）。デジタルカメラ１００のコントローラ１３５は、取得したＭＡＣアドレスに対して、ＭＡＣアドレスフィルタの認証処理（Ｓ３０８）を行う。スマートフォン２００ＡのＭＡＣアドレスは、デジタルカメラ１００が管理するＭＡＣアドレスフィルタに登録されているため、デジタルカメラ１００のコントローラ１３５は、スマートフォン２００ＡとのＷｉＦｉ通信を許可する。そして、デジタルカメラ１００のコントローラ１３５は、スマートフォン２００ＡとのＷｉＦｉ接続を確立する（Ｓ３０９）。そして、ＷｉＦｉ通信により、デジタルカメラ１００のコントローラ１３５は、デジタルカメラ１００が現在撮影している画像（スルー画像）を、スマートフォン２００Ａに対して転送する（Ｓ３０９）。
【００４５】
以上から、あらかじめＷｉＦｉ接続許可登録されているスマートフォン２００に対してＷｉＦｉ接続を確立し、スルー画像の転送が可能となる。
【００４６】
〔１−２−３．撮影モードにおける未登録スマートフォン２００との接続〕
図６は、デジタルカメラ１００が撮影モードにおける、未登録スマートフォン２００との接続動作に関するシーケンス図である。スマートフォン２００ＢのＭＡＣアドレスは、「０９：８７：６５：４３：２１：００」であり、図４に示すとおり、デジタルカメラ１００が管理するＭＡＣアドレスフィルタに未登録のＭＡＣアドレスのため、ＷｉＦｉ接続不許可と判断されるＭＡＣアドレスである。
【００４７】
デジタルカメラ１００は、撮影モードにて起動されている（Ｓ４００）。スマートフォン２００は、画像取得アプリケーションが起動されている（Ｓ４０１）。図６に示すように、スマートフォン２００Ｂをデジタルカメラ１００にタッチ動作すると（Ｓ４０２）、スマートフォン２００のコントローラ２２５は、ＮＦＣタグ１６０およびＮＦＣリーダライタ２４０を介して、デジタルカメラ１００のコントローラ１３５から、デジタルカメラ１００と接続するために必要な接続情報（ＳＳＩＤ、ＷＥＰキー）を読み取る（Ｓ４０３）。
【００４８】
デジタルカメラ１００のコントローラ１３５は、ステップＳ４０２のスマートフォン２００Ｂからのタッチ動作を契機に、デジタルカメラ１００の現在の動作モードが撮影モードであることを判断する。撮影モードであることを判断したことにより、デジタルカメラ１００のコントローラ１３５は、ＭＡＣアドレスフィルタを有効にする（Ｓ４０４）。さらに、デジタルカメラ１００は、コントローラ１３５を介して、ＷｉＦｉモジュール１５５に通電を行い、ＷｉＦｉアクセスポイントとしてＷｉＦｉモジュール１５５を起動する（Ｓ４０５）。
【００４９】
一方、スマートフォン２００Ｂは、デジタルカメラ１００から取得した接続情報（ＳＳＩＤ、ＷＥＰキー）に基づき、ＷｉＦｉ通信の確立要求（Ｓ４０６）を行う。
【００５０】
一方、デジタルカメラ１００は、ＷｉＦｉ通信の確立要求を受けると、接続要求元スマートフォン２００ＢのＭＡＣアドレスを取得する（Ｓ４０７）。デジタルカメラ１００のコントローラ１３５は、取得したＭＡＣアドレスに対して、ＭＡＣアドレスフィルタの認証処理（Ｓ４０８）を行う。スマートフォン２００ＢのＭＡＣアドレスは、デジタルカメラ１００が管理するＭＡＣアドレスフィルタに登録されていないため、デジタルカメラ１００のコントローラ１３５は、スマートフォン２００ＢとのＷｉＦｉ通信を許可しない。そして、デジタルカメラ１００のコントローラ１３５は、スマートフォン２００ＢとのＷｉＦｉ接続を切断する（Ｓ４０９）。
【００５１】
以上から、あらかじめＷｉＦｉ接続許可登録されていないスマートフォン２００Ｂに対しては、ＷｉＦｉ接続を行わないことが可能となる。
【００５２】
〔１−２−４．再生モードにおける未登録スマートフォン２００との接続〕
図７は、デジタルカメラ１００が再生モードにおける、未登録スマートフォン２００Ｂとの接続動作に関するシーケンス図である。スマートフォン２００ＢのＭＡＣアドレスは、「０９：８７：６５：４３：２１：００」であり、図４に示すとおり、デジタルカメラ１００が管理するＭＡＣアドレスフィルタに未登録のＭＡＣアドレスのため、ＷｉＦｉ接続が不許可と判断されるＭＡＣアドレスである。
【００５３】
デジタルカメラ１００は、再生モードにて起動されている（Ｓ５００）。スマートフォン２００Ｂは、画像取得アプリケーションが起動されている（Ｓ５０１）。図７に示すように、スマートフォン２００Ｂをデジタルカメラ１００にタッチ動作すると（Ｓ５０２）、スマートフォン２００Ｂのコントローラ２２５は、ＮＦＣタグ１６０およびＮＦＣリーダライタ２４０を介して、デジタルカメラ１００のコントローラ１３５から、デジタルカメラ１００と接続するために必要な接続情報（ＳＳＩＤ、ＷＥＰキー）を読み取る（Ｓ５０３）。
【００５４】
デジタルカメラ１００は、スマートフォン２００Ｂからのタッチ動作を契機に、デジタルカメラ１００のコントローラ１３５により、デジタルカメラ１００の現在の動作モードが再生モードであると判断する。再生モードであることを判断したことにより、デジタルカメラ１００のコントローラ１３５は、ＭＡＣアドレスフィルタを無効にする（Ｓ５０４）。さらに、デジタルカメラ１００は、コントローラ１３５を介して、ＷｉＦｉモジュール１５５に通電を行い、ＷｉＦｉアクセスポイントとしてＷｉＦｉモジュール１５５を起動する（Ｓ５０５）。
【００５５】
一方、スマートフォン２００Ｂは、デジタルカメラ１００から取得した接続情報（ＳＳＩＤ、ＷＥＰキー）に基づき、ＷｉＦｉ通信の確立要求（Ｓ５０６）を行う。
【００５６】
一方、デジタルカメラ１００は、ＷｉＦｉ通信の確立要求（Ｓ５０６）を受けると、ＭＡＣアドレスフィルタが無効なため、即座にＷｉＦｉ通信を確立し（Ｓ５０７）、再生画像の転送処理（Ｓ５０８）を行う。
【００５７】
以上から、あらかじめＷｉＦｉ接続許可登録されていないスマートフォン２００Ｂに対してもＷｉＦｉ接続を行うことが可能となる。
【００５８】
なお、あらかじめＷｉＦｉ接続許可登録されているスマートフォン２００に対してもＭＡＣアドレスフィルタが無効なため、同様にＷｉＦｉ接続を行うことが可能である。
【００５９】
〔実施の形態２〕
続いて、実施の形態２にかかるデジタルカメラ１００およびスマートフォン２００の動作について説明する。なお、実施の形態２にかかるデジタルカメラ１００および、スマートフォン２００の構成については、実施の形態１にて説明したデジタルカメラ１００およびスマートフォン２００の構成と同様であるため、詳細説明を省略する。そして、実施の形態２にかかるデジタルカメラ１００および、スマートフォン２００の各構成の番号については、実施の形態１にかかるデジタルカメラ１００および、スマートフォン２００と同じ番号を付して説明する。
【００６０】
図８は、デジタルカメラ１００が撮影モードにおける、登録済みスマートフォン２００Ａおよび、未登録のスマートフォン２００Ｂとの接続動作に関するシーケンス図である。スマートフォン２００ＡのＭＡＣアドレスは、「１２：３４：５６：７８：９０：ａｂ」であり、図４に示すとおりＷｉＦｉ接続許可として事前に登録されているとする。また、スマートフォン２００ＢのＭＡＣアドレスは、「０９：８７：６５：４３：２１：００」であり、図４に示すとおり、デジタルカメラ１００が管理するＭＡＣアドレスフィルタに未登録のＭＡＣアドレスのため、ＷｉＦｉ接続が不許可と判断されるＭＡＣアドレスである。
【００６１】
デジタルカメラ１００は、再生モードにて起動されている（Ｓ６００）。スマートフォン２００Ａは、画像取得アプリケーションが起動されている（Ｓ６０１）。図８に示すように、スマートフォン２００をデジタルカメラ１００にタッチ動作すると（Ｓ６０２）、スマートフォン２００Ａのコントローラ２２５Ａは、ＮＦＣタグ１６０およびＮＦＣリーダライタ２４０Ａを介して、デジタルカメラ１００のコントローラ１３５から、デジタルカメラ１００と接続するために必要な接続情報（ＳＳＩＤ、ＷＥＰキー）を読み取る（Ｓ６０３）。
【００６２】
デジタルカメラ１００のコントローラ１３５は、スマートフォン２００Ａからのタッチ動作を契機に、デジタルカメラ１００の現在の動作モードが再生モードであることを判断する。再生モードであることを判断したことにより、デジタルカメラ１００のコントローラ１３５は、ＭＡＣアドレスフィルタを無効にする（Ｓ６０４）。さらに、デジタルカメラ１００のコントローラ１３５は、ＷｉＦｉモジュール１５５に通電を行い、ＷｉＦｉアクセスポイントとしてＷｉＦｉモジュール１５５を起動する（Ｓ６０５）。
【００６３】
一方、デジタルカメラ１００は、ＷｉＦｉ通信の確立要求を受けると（Ｓ６０６）、接続要求元スマートフォン２００ＡのＭＡＣアドレスを取得する（Ｓ６０７）。デジタルカメラ１００のコントローラ１３５は、取得したＭＡＣアドレスに対して、ＭＡＣアドレスフィルタの認証処理（Ｓ６０８）を行う。スマートフォン２００ＡのＭＡＣアドレスは、デジタルカメラ１００が管理するＭＡＣアドレスフィルタに登録されているため、デジタルカメラ１００のコントローラ１３５は、スマートフォン２００ＡとのＷｉＦｉ通信を許可する。そして、デジタルカメラ１００のコントローラ１３５は、スマートフォン２００ＡとのＷｉＦｉ接続を確立する（Ｓ６０９）。
【００６４】
続いて、デジタルカメラ１００のコントローラ１３５は、ＭＡＣアドレスフィルタを有効にする（Ｓ６１０）。これにより、ＭＡＣアドレスフィルタに登録されているＭＡＣアドレスが示す機器のみが、デジタルカメラ１００とのＷｉＦｉ通信が許可されるようになる。そのため、ＭＡＣアドレスが登録されているスマートフォン２００Ａの以前に、ＭＡＣアドレスの登録されていない機器がデジタルカメラ１００とＷｉＦｉ通信を確立させていた場合、ＭＡＣアドレスが有効になったことで、当該未登録機器とデジタルカメラ１００とのＷｉＦｉ通信が強制的に切断される。
【００６５】
ＷｉＦｉ通信により、デジタルカメラ１００のコントローラ１３５は、デジタルカメラ１００が再生している再生画像を、スマートフォン２００Ａに対して転送する（Ｓ６１１）。
【００６６】
次に、ＭＡＣアドレスがデジタルカメラ１００が管理するＭＡＣアドレスフィルタに未登録のスマートフォン２００Ｂが、画像取得アプリケーションを起動させる（Ｓ６１２）。
【００６７】
スマートフォン２００Ｂのデジタルカメラ１００に対するＮＦＣタッチ動作（Ｓ６１３）を実施する。スマートフォン２００Ｂのコントローラ２２５Ｂは、ＮＦＣタグ１６０およびＮＦＣリーダライタ２４０Ｂを介して、デジタルカメラ１００のコントローラ１３５から、デジタルカメラ１００と接続するために必要な接続情報（ＳＳＩＤ、ＷＥＰキー）を読み取る（Ｓ６１４）。続いて、スマートフォン２００Ｂは、デジタルカメラ１００に対して、ＷｉＦｉ通信の確立要求（Ｓ６１５）を行う。
【００６８】
一方、デジタルカメラ１００は、ＷｉＦｉ通信の確立要求を受けると、接続要求元スマートフォン２００ＢのＭＡＣアドレスを取得する（Ｓ６１６）。デジタルカメラ１００のコントローラ１３５は、取得したＭＡＣアドレスに対して、ＭＡＣアドレスフィルタの認証処理（Ｓ６１７）を行う。スマートフォン２００ＢのＭＡＣアドレスは、デジタルカメラ１００が管理するＭＡＣアドレスフィルタに登録されていないため、デジタルカメラ１００のコントローラ１３５は、スマートフォン２００ＢとのＷｉＦｉ通信を許可しない。そして、デジタルカメラ１００のコントローラ１３５は、スマートフォン２００ＢとのＷｉＦｉ接続を切断する（Ｓ６１８）。
【００６９】
以上から、再生モードにおいて、あらかじめ接続許可されたスマートフォン２００ＡとのＷｉＦｉ通信を確立したのち、接続許可されていないスマートフォン２００ＢのＷｉＦｉ通信を拒否することが可能となり、あらかじめ接続許可されたスマートフォン２００に対して、再生モード以外のモード遷移操作を許可することが可能となる。
【００７０】
〔他の実施の形態〕
本発明は、上記実施の形態に限定されず、種々の実施形態が考えられる。以下、本発明の他の実施の形態についてまとめて記載する。
【００７１】
上記実施の形態では、デジタルカメラ１００とスマートフォン２００との例を示した。しかし、本発明は、上記実施の形態にとどまらない。例えば、スマートフォン同士や、デジタルカメラ同士での接続であっても同様に適用可能である。
【００７２】
上記実施の形態では、ＭＡＣアドレスフィルタにて、例えば「ＭＡＣアドレス」と「許可・不許可」の対で管理した。ＭＡＣアドレスに変わり、他の機器固有の機器識別子よって、接続許可・不許可のフィルタを作成しても良い。
【００７３】
上記実施の形態では、撮影モードをＭＡＣアドレスフィルタ有効となるモード、再生モードをＭＡＣアドレスフィルタ無効となるモードと定義して説明した。しかし、本発明は、上記の実施の形態にとどまらない。例えば、特定のアプリケーションが起動されているときのみ、ＭＡＣアドレスフィルタを無効にし、その他の状態においてはＭＡＣアドレスフィルタを有効としても良い。また、特定の画像をデジタルカメラ１００の液晶モニタ１３０に表示しているときのみＭＡＣアドレスフィルタを無効にし、その他の状態においてはＭＡＣアドレスフィルタを有効としても良い。
【００７４】
上記実施の形態では、あらかじめデジタルカメラ１００を起動し、撮影モードや再生モードとしているが、デジタルカメラ１００が電源ＯＦＦの状態から、ＮＦＣタッチ動作によりデジタルカメラ１００の起動を行ってもよい。
【００７５】
上記実施の形態では、あらかじめスマートフォン２００のアプリケーションを起動してのちＮＦＣタッチ動作を行ったが、ＮＦＣタッチ動作により画像取得アプリケーションの起動を行っても良い。
【産業上の利用可能性】
【００７６】
本開示の技術的思想は、デジタルカメラ１００やスマートフォン２００への実施に限定されない。すなわち、本開示の技術的思想は画像を通信可能な通信制御装置であれば、他の機器であっても実施可能である。
【符号の説明】
【００７７】
１００…デジタルカメラ
１１０…光学系
１１５…ＣＭＯＳイメージセンサ
１２０…画像処理部
１２５…バッファメモリ
１３０…液晶モニタ
１３５…コントローラ
１４０…カードスロット
１４５…メモリカード
１５０…操作部
１５５…ＷｉＦｉモジュール
１６０…ＮＦＣタグ
２００…スマートフォン
２０５…画像処理部
２１０…タッチパネル
２１５…液晶モニタ
２２０…バッファメモリ
２２５…コントローラ
２３０…操作部
２３５…ＷｉＦｉモジュール
２４０…ＮＦＣリーダライタ
【図１】
2016034051.tif 000003
【図２】
2016034051.tif 000004
【図３】
2016034051.tif 000005
【図４】
2016034051.tif 000006
【図５】
2016034051.tif 000007
【図６】
2016034051.tif 000008
【図７】
2016034051.tif 000009
【図８】
2016034051.tif 000010